(57)【要約】【課題】各苗列に沿って圃場へ粉粒体を供給する構造の粉粒体供給装置を採用しながらも、分離可能な苗のせ台部分同士の重複による折り畳みを可能にして、苗のせ台の左右方向幅を縮小する。【解決手段】粉粒体供給装置４に、各苗載置部に対応する苗列毎に粉粒体を供給する複数の粉粒体タンク４０ａと、苗のせ台２０が装備されている植付機枠部３０に対して粉粒体タンク４０ａを支持させる複数のタンク支持部材４１と、が備えられ、端部側苗のせ台部分と、その端部側苗のせ台部分が重なる位置の主苗のせ台部分と、に対応して備えられた粉粒体タンク４０ａ及びタンク支持部材４１が、重なる位置から退避可能に構成されている。【選択図】図４
2019126272.tif 000002
【特許請求の範囲】
【請求項１】
マット状苗を載置可能な複数の苗載置部を備える苗のせ台と、
前記苗載置部のマット状苗を一株毎に取り出して圃場へ植え付ける苗植付機構と、
前記苗のせ台の後部側箇所で、各苗列に沿って圃場へ粉粒体を供給する粉粒体供給装置と、が備えられた苗植付装置であって、
前記苗のせ台が、複数の前記苗載置部を備える主苗のせ台部分と、その主苗のせ台部分の左右方向での横側端部に対して連結及び連結解除可能な端部側苗のせ台部分と、の組み合わせによって構成されているとともに、
前記端部側苗のせ台部分が前記主苗のせ台部分の横側端部に連結されて一連の苗載置面を構成する作業姿勢連結状態と、前記端部側苗のせ台部分が平面視で前記主苗のせ台部分側の苗載置面の上側に重なるように支持された格納支持状態と、に前記主苗のせ台部分に対する前記端部側苗のせ台部分の姿勢が切換可能に構成され、
前記粉粒体供給装置に、各苗載置部に対応する苗列毎に粉粒体を供給する複数の粉粒体タンクと、前記苗のせ台が装備されている植付機枠部に対して前記粉粒体タンクを支持させる複数のタンク支持部材と、が備えられ、
前記端部側苗のせ台部分と、その端部側苗のせ台部分が重なる位置の前記主苗のせ台部分と、に対応して備えられた前記粉粒体タンク及び前記タンク支持部材が、前記重なる位置から退避可能に構成されている苗植付装置。
【請求項２】
前記端部側苗のせ台部分と、その端部側苗のせ台部分が重なる位置の前記主苗のせ台部分と、に対応して備えられた前記タンク支持部材に、前記苗のせ台から後方側へ離れる方向へ延出された後向きフレーム部と、前記後向きフレーム部の後端部から前方斜め上方へ延出された上向きフレーム部と、が備えられ、
前記タンク支持部材に、当該タンク支持部材を前記植付機枠部側と、前記粉粒体タンク側と、に分離可能な脱着部が備えられた請求項１記載の苗植付装置。
【請求項３】
前記苗植付機構と前記粉粒体タンクとの間に、前記苗植付機構側から前記粉粒体タンク側への泥土の飛散を制限する泥除けカバーが設けられ、
前記後向きフレーム部が前記泥除けカバーの下側を通って前記泥除けカバーの後端よりも後方側へ延出されている請求項２記載の苗植付装置。
【請求項４】
前記脱着部は、前記後向きフレーム部よりも上方側の前記上向きフレーム部に設けられている請求項２又は３記載の苗植付装置。
【請求項５】
前記脱着部に、前記後向きフレーム部と一体に構成された筒状部と、前記粉粒体タンク側に一体連結された棒状部と、が備えられ、かつ、前記筒状部に対する前記棒状部の挿入状態で、前記棒状部の抜け出しを規制するパッチン錠式の留め金具が備えられている請求項４記載の苗植付装置。
【請求項６】
前記上向きフレーム部の上端側に前記粉粒体タンクを支持する支持枠体が連結され、
互いに隣り合う位置の前記支持枠体同士が、ノブボルトを介して連結及び連結解除可能に構成されている請求項２〜５のいずれか一項記載の苗植付装置。
【発明の詳細な説明】
【技術分野】
【０００１】
本発明は、複数の苗載置部を備える苗のせ台と、苗載置部のマット状苗を一株毎に取り出して圃場へ植え付ける苗植付機構と、苗のせ台の後部側箇所で、各苗列に沿って圃場へ粉粒体を供給する粉粒体供給装置と、が備えられた苗植付装置に関する。
【背景技術】
【０００２】
上記のような苗植付装置としては、複数の苗載置部を備える苗のせ台と、苗載置部のマット状苗を一株毎に取り出して圃場へ植え付ける苗植付機構と、苗のせ台の後部側での中央部箇所に、圃場へ除草剤等の粉粒体を拡散供給する粉粒体供給装置（特許文献１では薬剤散布装置）と、を備えたものがある。
また、この苗植付装置では、８条植え用の苗のせ台において、６条分の苗を載置可能な主苗のせ台部分（特許文献１では主苗載せ台）と、２条分の苗を載置可能な端部側苗のせ台部分（特許文献１では副苗載せ台）を備えている。そして、端部側苗のせ台部分の苗載置部を、粉粒体供給装置の存在位置から外れた箇所で、平面視で主苗のせ台部分の苗載置部と重複させた折り畳み状態の格納姿勢へ姿勢変更可能に構成してある（例えば特許文献１参照）。
【０００３】
また、別の苗植付装置としては、複数の苗載置部を備える苗のせ台と、苗載置部のマット状苗を一株毎に取り出して圃場へ植え付ける苗植付機構と、苗のせ台の後部側箇所で、各苗列に沿って圃場へ粉粒体を供給する粉粒体供給装置と、が備えられた苗植付装置と、を備えたものがある。この苗植付装置は、６条植え用の苗のせ台を備えたものであり、載置部を部分的に重複させて左右方向幅を狭めるような苗載置部の格納構造は備えていない（例えば特許文献２参照）。
【先行技術文献】
【特許文献】
【０００４】
【特許文献１】特開２０１４−０６８５７１号公報（段落番号００２７、００５１、図１、５）
【特許文献２】特開２０１７−０６０４１９号公報（段落番号００３５、００４４、図１、２、４）
【発明の概要】
【発明が解決しようとする課題】
【０００５】
特許文献１に記載のものでは、端部側苗のせ台部分の苗載置部を平面視で主苗のせ台部分の苗載置部と重複させた格納姿勢とすることができるので、苗植付装置を格納する場合や、運搬車両に搭載する際等に、苗のせ台をコンパクトな折り畳み状態に姿勢変更して収容面積を節減できる点で有用なものである。
しかし、この苗植付装置で採用されている粉粒体供給装置は、苗のせ台の後部側で左右方向の中央部箇所に備えた粉粒体供給装置が除草剤等の粉粒体を圃場へ拡散供給するものである。このため、粉粒体としては、圃場全体に散布供給する除草剤の散布に適したものであり、圃場に植え付けられた苗に対して直接的に薬効のある粉粒体を供給するには不向きなものである。
【０００６】
特許文献２に記載のものでは、粉粒体供給装置として、苗のせ台の後部側箇所で、各苗列に沿って圃場へ粉粒体を供給する構造のものが採用されているので、圃場に植え付けられた苗に対して直接的に薬効のある粉粒体を供給することができる点で有用なものである。
しかしながらこの苗植付装置では、苗のせ台が苗載置部の全体を一体に構成した６条植え用のものであり、端部側苗のせ台部分と主苗のせ台部分とに分離可能に構成されたものではなく、分離させた端部側苗のせ台部分の苗載置部を平面視で主苗のせ台部分の苗載置部と重複させて折り畳み状態とすることに関する記載もない。
このような各苗列に沿って圃場へ粉粒体を供給する構造の粉粒体供給装置は、仮に、８条植え用などの大型で、端部側苗のせ台部分と主苗のせ台部分とに分離可能な苗のせ台に適用しようとしても、薬剤ホッパーや、その薬剤ホッパーを支持する支持フレームが重複予定箇所に存在しているので、分離させた端部側苗のせ台部分の苗載置部を平面視で主苗のせ台部分の苗載置部と重複させた折り畳み状態の格納姿勢とすることができない。このため、各苗列に沿って圃場へ粉粒体を供給する構造の粉粒体供給装置は、折り畳み構造の必要がない比較的小型の苗のせ台に適用すべきものと認識されていた。
【０００７】
本発明は、各苗列に沿って圃場へ粉粒体を供給する構造の粉粒体供給装置を採用しながらも、分離可能な苗のせ台部分同士の重複による折り畳みを可能にして、苗のせ台の左右方向幅を縮小し得る苗植付装置を提供しようとするものである。
【課題を解決するための手段】
【０００８】
上記目的を達成するための本発明による苗植付装置は、マット状苗を載置可能な複数の苗載置部を備える苗のせ台と、前記苗載置部のマット状苗を一株毎に取り出して圃場へ植え付ける苗植付機構と、前記苗のせ台の後部側箇所で、各苗列に沿って圃場へ粉粒体を供給する粉粒体供給装置と、が備えられた苗植付装置であって、前記苗のせ台が、複数の前記苗載置部を備える主苗のせ台部分と、その主苗のせ台部分の左右方向での横側端部に対して連結及び連結解除可能な端部側苗のせ台部分と、の組み合わせによって構成されているとともに、前記端部側苗のせ台部分が前記主苗のせ台部分の横側端部に連結されて一連の苗載置面を構成する作業姿勢連結状態と、前記端部側苗のせ台部分が平面視で前記主苗のせ台部分側の苗載置面の上側に重なるように支持された格納支持状態と、に前記主苗のせ台部分に対する前記端部側苗のせ台部分の姿勢が切換可能に構成され、前記粉粒体供給装置に、各苗載置部に対応する苗列毎に粉粒体を供給する複数の粉粒体タンクと、前記苗のせ台が装備されている植付機枠部に対して前記粉粒体タンクを支持させる複数のタンク支持部材と、が備えられ、前記端部側苗のせ台部分と、その端部側苗のせ台部分が重なる位置の前記主苗のせ台部分と、に対応して備えられた前記粉粒体タンク及び前記タンク支持部材が、前記重なる位置から退避可能に構成されている点に特徴がある。
【０００９】
本発明によれば、粉粒体を圃場へ拡散供給するのではなく、各苗列に沿って圃場へ粉粒体を供給する粉粒体供給装置を備えて、植え付けられた苗に対して直接的に薬効のある粉粒体を供給することができる。
それでいて、各苗載置部に対応する苗列毎に粉粒体を供給する複数の粉粒体タンクと、苗のせ台が装備されている植付機枠部に対して粉粒体タンクを支持させる複数のタンク支持部材と、が備えられ、粉粒体タンク及びタンク支持部材が、苗のせ台部分同士の重なる位置から退避可能に構成されているので、これらのタンク支持部材や粉粒体タンクによる制限をうけることなく、主苗のせ台部分の左右方向での横側端部に対して端部側苗のせ台部分を重複させた状態に折り畳むことができ、苗のせ台の左右方向長さを縮小した状態で、格納又は運搬することができる。
【００１０】
上記構成において、前記端部側苗のせ台部分と、その端部側苗のせ台部分が重なる位置の前記主苗のせ台部分と、に対応して備えられた前記タンク支持部材に、前記苗のせ台から後方側へ離れる方向へ延出された後向きフレーム部と、前記後向きフレーム部の後端部から前方斜め上方へ延出された上向きフレーム部と、が備えられ、前記タンク支持部材に、当該タンク支持部材を前記植付機枠部側と、前記粉粒体タンク側と、に分離可能な脱着部が備えられると好適である。
【００１１】
本構成によれば、端部側苗のせ台部分と、その端部側苗のせ台部分が重なる位置の主苗のせ台部分に設けられるタンク支持部材は、単に上方側へ延出されたものではなく、一旦、苗のせ台から後方側へ離れる方向へ延出された後向きフレーム部を備え、その後向きフレーム部の後端部から前方斜め上方へ延出された上向きフレーム部を備えている。
このように、タンク支持部材が後向きフレーム部を備え、その後向きフレーム部の後端部から前方斜め上方へ延出されているのは、次の理由による。
植付機枠部から単に上方側へ向けてタンク支持部材を立ち上げた構造のものでは、主苗のせ台部分の上側に端部側苗のせ台部分を重ねる際に、端部側苗のせ台部分の重なり箇所にタンク支持部材が干渉するので、タンク支持部材を全体的に取り外す必要があるが、本構成のものでは、その必要がない。
つまり、苗のせ台から後方側へ離れる方向へ延出された後向きフレーム部は、主苗のせ台部分の上側に重ねられた状態の端部側苗のせ台部分との干渉を避けた位置にある。そして、後向きフレーム部の後端部から前方斜め上方へ延出される上向きフレーム部においても、その下部付近であれば、主苗のせ台部分の上側に重ねられた状態の端部側苗のせ台部分との干渉を避けた箇所に位置させ易い。
したがって、タンク支持部材のうちで、主苗のせ台部分の上側に重ねられる端部側苗のせ台部分と干渉しない部位の後向きフレーム部等は植付機枠部側に残し、主苗のせ台部分の上側に重ねられる端部側苗のせ台部分と干渉する部位のタンク支持部材を脱着可能であるように脱着部を設けることで、脱着部では、植付機枠部側への連結構造等は省くことができ、脱着部の構造の簡素化を図ることができる。
そして、脱着部の位置も、植付機枠部とタンク支持部材との連結箇所のような、奥まった箇所に設ける必要がないので、脱着操作を行い易いタンク支持部材上の適所を選んで脱着部を設けることができ、脱着作業も行い易くなる。
【００１２】
上記構成において、前記苗植付機構と前記粉粒体タンクとの間に、前記苗植付機構側から前記粉粒体タンク側への泥土の飛散を制限する泥除けカバーが設けられ、前記後向きフレーム部が前記泥除けカバーの下側を通って前記泥除けカバーの後端よりも後方側へ延出されていると好適である。
【００１３】
本構成によれば、泥除けカバーの存在による影響を受けることなく、より一層簡単な作業でタンク支持部材と粉粒体タンクの脱着操作を行うことができる。
【００１４】
上記構成において、前記脱着部は、前記後向きフレーム部よりも上方側の前記上向きフレーム部に設けられていると好適である。
【００１５】
本構成によれば、上向きフレーム部に脱着部が設けられているので、目視し易く、かつ広い作業空間で、タンク支持部材と粉粒体タンクの脱着操作を、さらに簡便に行い易い。
【００１６】
上記構成において、前記脱着部に、前記後向きフレーム部と一体に構成された筒状部と、前記粉粒体タンク側に一体連結された棒状部と、が備えられ、かつ、前記筒状部に対する前記棒状部の挿入状態で、前記棒状部の抜け出しを規制するパッチン錠式の留め金具が備えられていると好適である。
【００１７】
本構成によれば、後向きフレーム部と一体に構成された筒状部に、粉粒体タンク側に一体連結された棒状部を挿入することで水平方向での揺れ等の外力に抗して強固に固定することができる。これによって、外力の影響が少ない上下方向では、構造及び操作の簡単なパッチン錠式の留め金具でしっかりと固定することができる。
【００１８】
上記構成において、前記上向きフレーム部の上端側に前記粉粒体タンクを支持する支持枠体が連結され、互いに隣り合う位置の前記支持枠体同士が、ノブボルトを介して連結及び連結解除可能に構成されていると好適である。
【００１９】
本構成によれば、粉粒体タンクを支持する支持枠体同士を連結及び連結解除可能であるように構成することにより、互いに隣り合う位置の粉粒体タンク及び支持枠体を個別にも同時的にも取り扱うことができる。したがって、分離して軽くすることにより扱い易くしたり、連結して位置決め状態での調整を行ったりする等、作業形態に応じて便利な状況を選択することができる。
また、その支持枠体同士の連結及び連結解除はノブボルトを用いて行えるので、特別な工具を用意する必要もなく、人為操作によって簡便に行い易いものである。
【図面の簡単な説明】
【００２０】
【図１】本発明の苗植付装置を適用した乗用型田植機の全体側面図である。
【図２】苗植付装置の苗のせ台及び薬剤供給装置を示す平面図である。
【図３】苗植付装置における苗のせ台の折り畳み状態を示す平面図である。
【図４】苗植付装置を示す左側面図である。
【図５】苗植付装置における苗のせ台の折り畳み状態を示す左側面図である。
【図６】苗植付装置における薬剤供給装置を示す背面図である。
【図７】薬剤供給装置における分解状態を示す説明図である。
【図８】主苗のせ台部分における脱着不能な薬剤供給装置の保持構造を示す側面図である。
【図９】端部側苗のせ台部分における脱着可能な薬剤供給装置の保持構造を示す側面図である。
【図１０】端部側苗のせ台部分における脱着可能な薬剤供給装置の保持構造の分解状態を示す側面図である。
【図１１】分解された端部側苗のせ台部分における動力伝達用の操作ロッドの仮留め状態を示す側面図である。
【発明を実施するための形態】
【００２１】
以下、本発明の実施の形態の一例を図面の記載に基づいて説明する。
実施の形態における前後方向及び左右方向は、特段の説明がない限り、以下のように記載している。図１及び図２に示すように、乗用型田植機の作業走行時における前進側の進行方向が「前方Ｆ」であり、後進側の進行方向が「後方Ｂ」である。そして前後方向での前向き姿勢を基準として右側に相当する方向が「右方Ｒ」であり、左側に相当する方向が「左方Ｌ」である。
【００２２】
〔乗用型田植機〕
図１に、本発明の苗植付装置２を適用した乗用型田植機が示されている。
この乗用型田植機は、走行車体１の骨格となる車体フレーム１０の前部にエンジン１１が搭載されている。エンジン１１の動力は、主変速装置として備えた静油圧式無段変速装置（図示せず）、及び、トランスミッションケース１２に内蔵した副変速装置としてのギア式変速装置（図示せず）、などを介して左右の前輪１Ｆ及び左右の後輪１Ｒに伝達され、４輪駆動型に構成されている。
【００２３】
エンジン１１が搭載された車体フレーム１０上に搭乗部ステップ１３が設けられている。この搭乗部ステップ１３上には、エンジン１１を内装するエンジンボンネット１１ａ、前輪操舵用のステアリングホイール１４、及び運転座席１５などが配備されている。搭乗部ステップ１３のうち、運転座席１５の後方側で一段高く形成された部位に、施肥装置１６が設けられている。
【００２４】
走行車体１の後部に、油圧式の昇降シリンダ１９の作動で上下揺動するようにリンク機構１８が連結されている。このリンク機構１８の後端下部に、８条用の苗植付装置２を前後方向の揺動軸心回りでローリング可能に連結している。
エンジン１１の動力は、前記静油圧式無段変速装置、トランスミッションケース１２内に備えられた株間変速装置（図示せず）、植付クラッチ（図示せず）、及びＰＴＯ軸１７を介して、施肥装置１６の肥料繰り出し部１６ｂ、及び苗植付装置２にも伝達されている。
【００２５】
施肥装置１６は、粉粒体状の肥料を貯留する肥料ホッパー１６ａと、肥料ホッパー１６ａの下部に連結された４個の肥料繰り出し部１６ｂと、肥料繰り出し部１６ｂから繰り出された肥料を搬送風に乗せて搬送するためのブロワ１６ｃと、を備えている。各肥料繰り出し部１６ｂには２本ずつ施肥ホース１６ｄが接続されている。したがって、肥料繰り出し部１６ｂから繰り出された肥料は、ブロワ１６ｃから供給される搬送風に乗って、施肥ホース１６ｄに送り込まれる。施肥ホース１６ｄの他端側は、苗植付装置２の後述する整地フロート３２に備えた作溝器３９に接続され、作溝器３９によって圃場に形成された施肥溝へ肥料が供給されるようにしてある。
ブロワ１６ｃは電動モータ（図示せず）で駆動され、搭乗部ステップ１３の下側を通ってエンジン１１の付近に延出されたダクト（図示せず）を介して、エンジン１１付近の高温の空気を吸引する。
【００２６】
〔苗植付装置〕
苗植付装置２は次のように構成されている。
図２，３，４に示すように、苗植付装置２は、マット状苗を載置可能な複数の苗載置部２０ａを備えるとともに、左右に往復駆動可能に構成された苗のせ台２０を備えている。苗のせ台２０はリンク機構１８に連結された植付機枠部３０に支持されている。植付機枠部３０には、苗のせ台２０の下部から苗を取り出して田面に植え付ける苗植付機構３１が設けられている。
苗のせ台２０の後部側箇所に、圃場に植え付けられた各苗列に沿って圃場へ薬剤（粉粒体に相当する）を供給する薬剤供給装置４（粉粒体供給装置に相当する）が設けられている。植付機枠部３０の下部には、田表面を滑走する整地用の４つの整地フロート３２が設けられている。この整地フロート３２の８箇所に作溝器３９を設けてあり、作溝器３９によって、苗植付箇所の横側部における圃場に施肥溝を形成するようにしてある。
苗植付装置２は、これらの苗のせ台２０、植付機枠部３０、苗植付機構３１、整地フロート３２、及び薬剤供給装置４を備えている。
【００２７】
〔苗のせ台〕
苗植付装置２が備える苗のせ台２０は、図２及び図３に示すように、複数の苗載置部２０ａを備える主苗のせ台部分２１と、その主苗のせ台部分の左右方向での横側端部に対して連結及び連結解除可能な端部側苗のせ台部分２２と、の組み合わせによって構成されている。具体的には、右側の主苗のせ台部分２１が苗載置面を６条分の苗載置部２０ａに区画形成され、左側の端部側苗のせ台部分２２が２条分の苗載置部２０ａに区画形成され、左右に２分割可能に構成されている。
そして、苗のせ台２０は、端部側苗のせ台部分２２が主苗のせ台部分２１の横側端部に連結されて一連の苗載置面を構成する作業姿勢連結状態と、端部側苗のせ台部分２２が平面視で主苗のせ台部分２１側の苗載置面の上側に重なるように支持された格納支持状態と、に主苗のせ台部分２１に対する端部側苗のせ台部分２２の姿勢が切換可能に構成されている。
【００２８】
主苗のせ台部分２１と端部側苗のせ台部分２２とは、連結支持装置２３を介して連結されている。
図４及び図５に示すように、連結支持装置２３は、左右向き姿勢で主苗のせ台部分２１の背面側に固定されたチャンネル状の断面形状を有したスライド案内部２４と、そのスライド案内部２４に対して左右方向で相対移動可能に支持された支持腕２５とを備えている。この支持腕２５において、スライド案内部２４から露出した側の端部が端部側苗のせ台部分２２の背面側に連結されている。
そして支持腕２５は、左右移動方向の中間位置に備えた揺動軸心ｐ１回りで、スライド案内部２４から露出した側が揺動して屈折可能であるように構成されている。つまり、支持腕２５は、支持腕２５の全体がスライド案内部２４の延長方向に沿う伸展姿勢と、スライド案内部２４から露出する部分がスライド案内部２４の延長方向に交差して、主苗のせ台部分２１の表面側へ向けて起立した屈折姿勢と、に姿勢変更可能に構成されている。
【００２９】
苗のせ台２０が上側に装備される植付機枠部３０は、ＰＴＯ軸１７からのエンジン動力が入力されるフィードケース３３、フィードケース３３から左右横外方へ向けて延出された角パイプ状の主支持部材３４、主支持部材３４から後方側へ向けて延出された４本の植付伝動ケース３５、を備えている。
苗植付機構３１は、フィードケース３３から分配された動力を受けて回転駆動される左右一対の回転ケース３６を、各植付伝動ケース３５の後部に設け、その回転ケース３６に備えた植付爪３６ａで、苗のせ台２０上の苗を掻き取って田面へ植え付けるように構成されている。
植付機枠部３０の前部には、苗のせ台２０の裏面側（前側）で苗のせ台２０を左右に往復横送り駆動機構３７、及び苗のせ台２０の裏面側を支持して左右横移動を案内するガイド枠３８が設けられている。
【００３０】
図２及び図４は、苗のせ台２０の８条分の苗載置部２０ａが一連に連なる作業姿勢連結状態を示している。この状態では、連結支持装置２３における支持腕２５の全体がスライド案内部２４の延長方向に沿う伸展姿勢になっている。
図３及び図５は、端部側苗のせ台部分２２が平面視で主苗のせ台部分２１側の苗載置部２０ａの上側に重なるように支持された格納支持状態を示している。この状態では、スライド案内部２４から露出する部分の支持腕２５が、スライド案内部２４の延長方向に交差して、主苗のせ台部分２１の表面側へ向けて起立した屈折姿勢となっている。この格納支持状態において、端部側苗のせ台部分２２の下端側は、主苗のせ台部分２１側の苗載置部２０ａの上側に向けて立設されている下端支持部材２６に連結支持されている。
【００３１】
〔薬剤供給装置〕
苗植付装置２が備える薬剤供給装置４は、各苗列に沿って圃場へ薬剤を供給するように、苗のせ台２０の後部側箇所に設けられている。
薬剤供給装置４のそれぞれは、薬剤を貯留する薬剤ホッパー４０ａ（粉粒体タンクに相当する）、繰り出し部４０ｂ、及び繰り出し部４０ｂに接続された繰り出しホース４０ｃ、を備えた施薬ユニット４０と、その施薬ユニット４０を支持するタンク支持部材４１と、を備えて、植付機枠部３０に支持されている。
【００３２】
施薬ユニット４０は、透明の合成樹脂材により二股状に形成されて２条分の薬剤を貯留する一つの薬剤ホッパー４０ａを備えている。その薬剤ホッパー４０ａの下部に左右一対の繰り出し部４０ｂが設けられ、各繰り出し部４０ｂの下部に繰り出しホース４０ｃの上端側が接続されている。繰り出しホース４０ｃの下端側は、整地フロート３２に支持された作溝器３９に接続されている。
この作溝器３９には、施肥装置１６から延出された施肥ホース１６ｄの下端部も連結されている。したがって、作溝器３９で形成した苗植付箇所の横側部における施肥溝には、施肥ホース１６ｄから供給される肥料と、繰り出しホース４０ｃから供給される薬剤と、が合流して共通の溝内に投入される。
【００３３】
図２及び図６に示すように、主苗のせ台部分２１の６条分の苗載置部２０ａの後方側には、合計６条分の薬剤ホッパー４０ａを備えた三個の施薬ユニット４０が設けられ、６条分の苗載置部２０ａのそれぞれに対応する位置の圃場へ薬剤供給が行われる。
端部側苗のせ台部分２２の２条分の苗載置部２０ａの後方側には、２条分の薬剤ホッパー４０ａを備えた一個の施薬ユニット４０が設けられ、２条分の苗載置部２０ａのそれぞれに対応する位置の圃場へ薬剤供給が行われる。
【００３４】
〔タンク支持部材〕
各施薬ユニット４０を支持するタンク支持部材４１は次のように構成されている。
タンク支持部材４１は、薬剤ホッパー４０ａの下部で左右一対の繰り出し部４０ｂが設けられた部分同士にわたって掛け渡された支持枠体４２と、その支持枠体４２の中間部に固定された縦支持杆４３と、を備えている。
【００３５】
この薬剤供給装置４では、タンク支持部材４１として、二種類の異なる構造のものが採用されている。
つまり、苗のせ台２０の後部側箇所で右半分側に対向する位置の、右側二箇所の薬剤供給装置４では、第一支持部材４１Ａが用いられている。
苗のせ台２０の後部側箇所で左半分側に対向する位置の、左側二箇所の薬剤供給装置４では、第一支持部材４１Ａとは構造の異なる第二支持部材４１Ｂが用いられている。
【００３６】
右側二箇所の薬剤供給装置４で用いられる第一支持部材４１Ａは、図６及び図８に示すように、支持枠体４２が直線状の角パイプ材で構成された縦支持杆４３の上端部に溶接固定されている。縦支持杆４３の下端部は、植付機枠部３０としての植付伝動ケース３５の上面側に立設された取付ブラケット３５ａに連結されている。
【００３７】
左側二箇所の薬剤供給装置４で用いられる第二支持部材４１Ｂは、図７及び図９，１０に示すように、支持枠体４２を支持する縦支持杆４３が、単なる直線状ではなく、側面視でＬ字状に屈曲した形状に形成されている。
つまり、植付作業姿勢にある苗のせ台２０から後方側へ離れる方向に向けて、水平方向に沿って延出された後向きフレーム部４４と、その後向きフレーム部４４の後端部から前方斜め上方へ向けて延出された上向きフレーム部４５と、を備えている。
後向きフレーム部４４の前端部は、植付機枠部３０としての植付伝動ケース３５の上面側に立設された取付ブラケット３５ａに連結されている。上向きフレーム部４５の上端部が支持枠体４２の中間部に固定されている。
【００３８】
タンク支持部材４１のうち、第二支持部材４１Ｂには、タンク支持部材４１を植付機枠部３０側と、薬剤ホッパー４０ａ側と、に分離可能な脱着部４６が設けられている。
すなわち、上向きフレーム部４５は、後向きフレーム部４４と一体に構成された筒状部４５ａと、支持枠体４２の中間部に固定された棒状部４５ｂと、を備えている。そして、筒状部４５ａに対する棒状部４５ｂの挿入状態で、棒状部４５ｂの抜け出しを規制するように、筒状部４５ａと棒状部４５ｂにわたってパッチン錠式の留め金具４７が設けられている。
したがって、留め金具４７を緩めて棒状部４５ｂを筒状部４５ａから抜き出すことで、タンク支持部材４１が分離可能である。これらの筒状部４５ａ、棒状部４５ｂ，及び留め金具４７を備えることによって脱着部４６が構成されている。
【００３９】
タンク支持部材４１における縦支持杆４３の上下高さ方向の中間部に、苗植付機構３１側から跳ね上げられる泥土が、上方側の薬剤ホッパー４０ａや繰り出し部４０ｂに向けて飛散することを抑制するための泥除けカバー４８が設けられている。
タンク支持部材４１のうち、右側二箇所の薬剤供給装置４で用いられる第一支持部材４１Ａは、その位置の泥除けカバー４８に形成された貫通孔（図示せず）を貫通して、直線状の縦支持杆４３が上方側へ延出されている。
左側二箇所の薬剤供給装置４で用いられる第二支持部材４１Ｂは、上述したように、後向きフレーム部４４が泥除けカバー４８の下側を通って泥除けカバー４８の後端よりも後方側へ延出されている。上向きフレーム部４５は、後向きフレーム部４４の後端部から前方斜め上方へ向けて延出されている。したがって第二支持部材４１Ｂにおける縦支持杆４３は、泥除けカバー４８の存在位置を迂回して、泥除けカバー４８の上方側で薬剤ホッパー４０ａや繰り出し部４０ｂを支持することができる。
【００４０】
苗のせ台２０の後部側箇所で左半分側に対向する位置の、左側二箇所の薬剤供給装置４では、最も左側に位置する施薬ユニット４０と、左から二番目の施薬ユニット４０との間、及び左から二番目と三番目の施薬ユニット４０との間で、タンク支持部材４１における支持枠体４２が次のように構成されている。
すなわち、図７に示すように、互いに隣接する位置のタンク支持部材４１における支持枠体４２同士が、ノブボルト４９を用いて連結及び連結解除可能に構成してある。ノブボルト４９は、一方の支持枠体４２に形成されている貫通孔４２ａを通して、他方の支持枠体４２に設けてある固定ナット４２ｂに螺合して連結される。
【００４１】
〔薬剤供給装置の駆動構造〕
図７乃至図１１に示すように、薬剤供給装置４における繰り出し部４０ｂの駆動は、苗植付機構３１における回転ケース３６の回転運動を、繰り出し部４０ｂの駆動アーム４０ｄに操作ロッド３６ｂを介して伝達することにより行われる。
つまり、回転ケース３６の回転運動を、操作ロッド３６ｂの往復運動に変換し、さらに駆動アーム４０ｄの揺動作動に変換して、繰り出し部４０ｂに内装されている繰り出しロータ（図示せず）を所定量ずつ回転させて、薬剤ホッパー４０ａ内の薬剤を繰り出すように構成してある。
【００４２】
上記の操作ロッド３６ｂは、薬剤供給装置４を取り外した際には、一端側の連結対象がなくなってしまう。このように一端側の連結対象がなくなった操作ロッド３６ｂは、図１１に示すように、下端支持部材２６の近くに備えた苗押さえ支持杆２７等の、位置固定可能な適宜部材に、苗押さえ支持杆２７等を挟み込み可能な部材で構成される固定具５０等の適宜固定手段で連結することにより、仮留めできるようにしてある。
【００４３】
〔別実施形態の１〕
上記の実施形態では、端部側苗のせ台部分２２と、その端部側苗のせ台部分２２が重なる位置の主苗のせ台部分２１と、に対応して備えられた薬剤ホッパー４０ａ及びタンク支持部材４１を、重なる位置から退避可能にする構成として、タンク支持部材４１に脱着部４６を設ける構造のものを採用したが、この構造に限定されるものではない。
例えば、タンク支持部材４１の上向きフレーム部４５を後ろ向きフレーム部４４に対して、後ろ向きフレーム部４４の後端側を揺動支点にして揺動可能に構成する。あるいは、タンク支持部材４１の全体又は上向きフレーム部４５を後方側へスライド移動させるようにする、等の適宜手段を採用する事ができる。
その他の構成は、前述した実施形態と同様の構成を採用すればよい。
【００４４】
〔別実施形態の２〕
上記の実施形態では、粉粒体供給装置として、病虫害予防用の薬剤等を貯留する薬剤ホッパー４０ａを備えた薬剤供給装置４に適用した場合を例にして説明したが、この構造に限られるものではない。
例えば、粉粒体供給装置として、肥料等を貯留する施肥用の粉粒体タンクを備えたもので構成してもよい。
その他の構成は、前述した実施形態と同様の構成を採用すればよい。
【００４５】
〔別実施形態の３〕
上記の実施形態では、施肥装置１６から供給される肥料と、薬剤供給装置４から供給される薬剤とを、共通の作溝器３９に合流させて、その作溝器３９よって形成された共通の溝へ投入する構造のものを例示したが、これに限られるものではない。
例えば、作溝器３９を肥料用と薬剤用とに分けて設けて、別々に形成された溝へ供給するようにしても良い。
その他の構成は、前述した実施形態と同様の構成を採用すればよい。
【００４６】
〔別実施形態の４〕
上記の実施形態では、８条植え用の乗用型田植機を例にして説明したが、必ずしもこの構造に限定されるものではない。
例えば、８条に限らず、１０条植え以上の条数で田植え作業を行うものであったり、８条に満たなくとも、主苗のせ台部分２１に端部側苗のせ台部分２２を重ねて格納する構造のものであっても良い。
その他の構成は、前述した実施形態と同様の構成を採用すればよい。
【産業上の利用可能性】
【００４７】
本発明は、主苗のせ台部分に端部側苗のせ台部分を重ねて格納する構造で、粉粒体供給装置の着脱を行う各種の田植機に適用することができる。
【符号の説明】
【００４８】
４          粉粒体供給装置
２０        苗のせ台
２０ａ      苗載置部
２１        主苗のせ台部分
２２        端部側苗のせ台部分
３０        植付機枠部
３１        苗植付機構
４０ａ      粉粒体タンク
４１        タンク支持部材
４４        後向きフレーム部
４５        上向きフレーム部
４５ａ      筒状部
４５ｂ      棒状部
４６        脱着部
４７        留め金具
４８        泥除けカバー
４９        ノブボルト
【図１】
2019126272.tif 000003
【図２】
2019126272.tif 000004
【図３】
2019126272.tif 000005
【図４】
2019126272.tif 000006
【図５】
2019126272.tif 000007
【図６】
2019126272.tif 000008
【図７】
2019126272.tif 000009
【図８】
2019126272.tif 000010
【図９】
2019126272.tif 000011
【図１０】
2019126272.tif 000012
【図１１】
2019126272.tif 000013